(57)【要約】      （修正有）【課題】施工するのに簡単で時間がかからず、長期間の使用後にも劣化することがなく耐久性を有し、且つ、熨斗瓦をしっかりと固定させることにより、施工後の棟の強度および耐震性を飛躍的に向上させ得る桟瓦取付金具、棟瓦固定具、及び補強部材の設置方法、及び棟の補強方法を提供する。【解決手段】台面固定金具４１が、屋根頂部の桟瓦３０ａの上に複数段積み上げられて棟を構成する熨斗瓦１２を桟瓦３０に対して動かないよう固定するために桟瓦３０上に設置される。台面固定金具４１は、桟瓦３０に固定される基底部と、熨斗瓦１２の壁面に沿って延びるように基底部に対して所定の角度で屈曲する傾斜部と、傾斜部が延びる方向とは異なる方向に基底部から延びる１対の脚部であって、桟瓦３０に対して基底部を支持する１対の脚部とを有し、熨斗瓦１２を緊結固定する針金２１を通すための開口部を傾斜部に形成する。【選択図】図１
2014047468.tif 000002
【特許請求の範囲】
【請求項１】
屋根頂部の桟瓦の上に複数段積み上げられて棟を構成する熨斗瓦を前記桟瓦に対して動かないよう固定するために前記桟瓦上に設置される桟瓦取付金具であって、
前記桟瓦の瓦面に固定される基底部と、
前記熨斗瓦の壁面に沿って延びるように前記基底部に対して所定の角度で屈曲して傾斜する傾斜部と、
前記傾斜部が延びる方向とは異なる方向に前記基底部から延びる１対の脚部であって、前記桟瓦の瓦面に対して前記基底部を支持する１対の脚部と、
を有して構成され、
前記桟瓦に固定する固定手段を通すための第１の開口部が前記基底部に形成され、
前記熨斗瓦を緊結固定する線材を通すための第２の開口部が前記傾斜部に形成されていることを特徴とする桟瓦取付金具。
【請求項２】
前記基底部の面の形状が略平行四辺形であることを特徴とする請求項１に記載の桟瓦取付金具。
【請求項３】
屋根頂部の桟瓦の上に複数段積み上げられて棟を構成する棟瓦を前記桟瓦に対して動かないよう固定するための棟瓦固定具であって、
棟を挟んで両側の前記桟瓦上にそれぞれ設置される請求項１に記載の１対の前記桟瓦取付金具と、
前記１対の前記桟瓦取付金具のそれぞれに両端が取り付けられ、前記棟瓦の壁面に沿って延びて最上段の前記棟瓦の上を通される線材と、
を有して構成されることを特徴とする棟瓦固定具。
【請求項４】
屋根頂部の桟瓦の上に複数段積み上げられて棟を構成する熨斗瓦を前記桟瓦に対して動かないよう固定するための棟瓦固定具であって、
棟を挟んで両側の前記桟瓦上にそれぞれ設置される１対の桟瓦取付金具と、下端がそれぞれの前記桟瓦取付金具に固定され複数段の前記熨斗瓦の壁面に沿って延びる１対の熨斗瓦固定金具と、両端が前記１対の熨斗瓦固定金具の上端にそれぞれ固定され、前記熨斗瓦を下方に押さえるよう最上段の熨斗瓦の上方にわたって延びる押さえ部材と、を有して構成されることを特徴とする棟瓦固定具。
【請求項５】
前記桟瓦取付金具が、前記桟瓦の瓦面に固定される基底部と、前記熨斗瓦の壁面に沿って延びるように前記基底部に対して所定の角度で屈曲して傾斜する傾斜部と、前記傾斜部が延びる方向とは異なる方向に前記基底部から延びる１対の脚部であって、前記桟瓦の瓦面に対して前記基底部を支持する１対の脚部と、を有し、
前記熨斗瓦固定金具が、一端が前記桟瓦取付金具に固定され他端が別の熨斗瓦固定金具に固定される第１の熨斗瓦固定金具と、両端が別の熨斗瓦固定金具に固定される第２の熨斗瓦固定金具と、一端が前記第２の熨斗瓦固定金具に固定され他端が前記押さえ部材に固定される第３の熨斗瓦固定金具と、を有し、
前記第１、第２及び第３の熨斗瓦固定金具が、いずれも、前記桟瓦取付金具、別の熨斗瓦固定金具、又は前記押さえ部材に固定するための１対の固定部と、前記１対の固定部間を連結するよう延びる連結部と、を有して構成されることを特徴とする請求項４に記載の棟瓦固定具。
【請求項６】
前記基底部の面の形状が略平行四辺形であることを特徴とする請求項５に記載の棟瓦固定具。
【請求項７】
桟瓦上に設置され屋根板に対して固定される請求項１乃至６のいずれか１項に記載の桟瓦取付金具の固定を補強するために、一連の桟瓦と前記屋根板との間に設置される補強部材の設置方法であって、
前記補強部材を前記桟瓦の上に屋根頂部の側から軒側に向かって延びるよう仮置きし、所定の前記桟瓦の軒側の端部の位置に合わせて前記補強部材に印を付すステップと、
前記所定の桟瓦に隣接する軒側の桟瓦を取り外し、前記補強部材を、取り外した前記桟瓦の側から屋根頂部に向かって前記一連の桟瓦と前記屋根板との間に挿入するステップと、
前記補強部材の前記印が前記所定の桟瓦の軒側の端部に対応する位置に位置する状態で、前記補強部材の軒側を前記屋根板に固定手段により固定するステップと、
前記補強部材の屋根頂部の側を前記桟瓦の上から桟木及び前記屋根板に固定手段により固定するステップと、
前記桟瓦取付金具を前記桟瓦の上から前記補強部材に固定手段により固定するステップと、
を具えることを特徴とする方法。
【請求項８】
屋根頂部の桟瓦の上に複数段積み上げられて棟を構成する熨斗瓦を前記桟瓦に対して動かないよう固定するための棟の補強方法であって、
請求項３乃至６のいずれか１項に記載の前記１対の桟瓦取付金具を前記桟瓦にそれぞれ取り付けるステップと、
前記１対の桟瓦取付金具間を、請求項４乃至６のいずれか１項に記載の前記１対の熨斗瓦固定金具及び前記押さえ部材で、又は線材で連結するステップと、
を具えることを特徴とする方法。
【請求項９】
屋根頂部の桟瓦の上に複数段積み上げられて棟を構成する熨斗瓦を前記桟瓦に対して動かないよう固定するための棟の補強方法であって、
請求項７に記載の補強部材の設置方法により、補強部材を前記一連の桟瓦と前記屋根板との間に設置するステップと、
請求項３乃至６のいずれか１項に記載の前記１対の桟瓦取付金具を前記桟瓦にそれぞれ取り付けるステップと、
前記１対の桟瓦取付金具間を、請求項４乃至６のいずれか１項に記載の前記１対の熨斗瓦固定金具及び前記押さえ部材で、又は線材で連結するステップと、
を具えることを特徴とする方法。
【請求項１０】
屋根頂部の桟瓦の上に複数段積み上げられる下段側の熨斗瓦と、前記下段側の熨斗瓦の上に複数段積み上げられる棟込瓦と、前記棟込瓦の上に複数段積み上げられる上段側の熨斗瓦と、最上段の熨斗瓦の上に１段積まれる丸瓦とにより構成される棟瓦を、前記桟瓦に対して動かないよう固定するための棟瓦固定具であって、
棟を挟んで両側の前記桟瓦上にそれぞれ設置される請求項１に記載の桟瓦取付金具と、
一端が一方の前記桟瓦取付金具に固定され、前記棟瓦の壁面に沿って延在し、前記上段側の熨斗瓦の上方を介して他端が他方の前記桟瓦取付金具に固定されることで、前記棟瓦を緊結固定する線材と、
を有して構成されることを特徴とする棟瓦固定具。
【請求項１１】
屋根頂部の桟瓦の上に複数段積み上げられる下段側の熨斗瓦と、前記下段側の熨斗瓦の上に複数段積み上げられる棟込瓦と、前記棟込瓦の上に複数段積み上げられる上段側の熨斗瓦と、最上段の熨斗瓦の上に１段積まれる丸瓦とにより構成される棟瓦を、前記桟瓦に対して動かないよう固定するための棟瓦固定具であって、
棟を挟んで両側の前記桟瓦上にそれぞれ設置される請求項１に記載の桟瓦取付金具と、
棟を挟んで両側の前記下段側の熨斗瓦の壁面に沿って前記棟の延在方向に延びるよう配設される１対の索線と、
一端が一方の前記索線に取り付けられ、前記棟瓦の壁面に沿って延在し、前記上段側の熨斗瓦の上方を介して他端が他方の前記索線に取り付けられることで、前記棟瓦を緊結固定する線材と、
を有して構成されることを特徴とする棟瓦固定具。
【発明の詳細な説明】
【技術分野】
【０００１】
本発明は桟瓦取付金具、棟瓦固定具、及び補強部材の設置方法、及び棟の補強方法に関し、特に、既存（施工後）の棟の強度および耐震性を飛躍的に向上させ長期に亘り崩落のおそれのない棟を構築する桟瓦取付金具、棟瓦固定具、及び補強部材の設置方法、及び棟の補強方法に関する。
【背景技術】
【０００２】
一般に、もっとも代表的な瓦屋根の棟部分は熨斗瓦を複数段重ね、最上部に丸瓦を１段重ねて構成され、屋根頂部の桟瓦と熨斗瓦の間や各段の熨斗瓦間、および熨斗瓦と丸瓦の間にはモルタルや漆喰等の湿式材料が充填される。したがって棟の強度（耐震性能）は棟を構成する瓦と瓦の間に充填される湿式材料の固化により生じる接着力で瓦同士が接合することで保たれている。また補強材として銅線が使用されており、銅線にて熨斗瓦と熨斗瓦、熨斗瓦と丸瓦、または屋根頂部の木部と丸瓦を緊結する方法も一般に併用されてきた。尚、２００１年の瓦屋根標準設計・施工ガイドライン（以後「ガイドライン」と表記する）の発行以降、あらたに施工される瓦屋根の棟部には内部に補強材として棟金具、芯材を組み込む工法が普及し、瓦屋根の棟部の耐震性能は飛躍的に向上した。
【０００３】
しかしながら、２０００年以前に工事された瓦屋根の棟部分は湿式材料による接着力と銅線による緊結力のみに依存しているものがほとんどであり、かつ２００１年以降に工事された瓦屋根についてもすべてがガイドラインに準拠した耐震性の高い工法がとられているわけではない。実際に、近年頻発する震災の度に多くの棟瓦が崩壊しており、これら棟瓦は、湿式材料の接着力と銅線の緊結力のみにその強度を依存していた旧来の工法によるものであった。また地震に持ちこたえた家屋でも、棟の強度を向上させることを望む声が多かった。この場合、棟をガイドライン工法に準拠した施工法で作り直すことも考えられるが、既存棟の解体費、解体後の廃棄物の処分費といった費用が、新規に棟部を施工する費用に上乗せにならざるを得ず、全体として費用が大幅に割高になるという問題がある。このため、施工費用を低く抑え、工期を短縮し、かつ産業廃棄物を発生させないことで環境負荷を軽減するために、棟を初めから作り直すのではなく、既存の棟を解体することなく外部から確実に補強する方法が、屋根工事業界および一般施主から強く求められている。
【０００４】
棟を補強する従来技術として、屋根頂部の桟瓦、および棟部を構成する熨斗瓦、丸瓦の境目に表面から弾性接着剤を塗って固め、補強する工法があり、一般にラバー工法と呼ばれている。（例えば、特許文献１）。この弾性接着剤は、屋根頂部の桟瓦の面に沿って上方に延び、湿式材料に沿って立ち上がり台面熨斗瓦の側壁に至るよう塗られ、固化することによって桟瓦と台面熨斗瓦を接着する。また熨斗瓦、丸瓦の境目部分にも塗り込み、固化することによって同様に熨斗瓦と熨斗瓦、熨斗瓦と丸瓦を接着して棟の強度を補強している。
【特許文献１】特開２００７−３９９５３号公報
【発明の開示】
【発明が解決しようとする課題】
【０００５】
上記のような弾性接着剤から成る補強工法は、熨斗瓦の瓦壁に付着させた後、湿式材料に沿って桟瓦に向けて延ばし、接着剤が固化するまで乾燥させる必要があり、補強材として機能するまである程度の時間がかかるという課題がある。また、弾性接着剤は、瓦に付着させて使用するのに適した瓦専用のラバーで構成されているが、補強材材として長期に渡って使用すると経年劣化し易く、風化して剥がれることにより耐候性にも問題がある。さらに、強度に欠ける材質から成るラバー製の接着剤は、桟瓦と熨斗瓦、熨斗瓦と熨斗瓦、熨斗瓦と丸瓦とを接着して熨斗瓦がズレないようにするのに十分な強度が保証されているとはいえないという不都合もある。また、地震による棟部の崩壊の過程において、まず屋根頂部の桟瓦が振動でズレ落ち、その桟瓦の上に積み上げてあった棟部が不安定になり崩壊する例が多発している。この原因は、屋根頂部の桟瓦は、屋根の流れ方向の長さにあわせてカットして取り付けることが多く（いわゆる勝手瓦）、その際、釘穴部分が切り落とされるため、あらたな釘穴を開けて釘止めすることが行われてこなかったことによる。現在では既存の棟の耐震性能にとってこの屋根頂部の桟瓦の屋根への固定が最重要であることが屋根工事業界の常識となっている。しかるに弾性接着剤による補強方法では、この屋根頂部の桟瓦を屋根板に固定するといったもっとも根本的な補強方法を行うことが不可能である。
【０００６】
また、上記のような接着剤を用いる方法の他、棟の延在方法に沿って延びるＬ形のアングル材を、屋根頂部の桟瓦の上面と最下段の熨斗瓦の壁面に当てるようにして、複数の桟瓦の桟芯にビスを打つなどしてこれらの桟瓦に固定することにより、Ｌ形のアングル材が熨斗瓦をズレないように支持する方法も試験的に試みられている。しかしながら、棟に沿って葺設される個々の桟瓦の高さ、すなわち桟芯の高さはバラツキが有って同じではないため、長尺のアングル材を用いる場合には、周囲の桟瓦の桟芯と比較して高さが低い桟芯の所でアングル材が浮いてしまい、複数の桟瓦に取り付けられるアングル材をしっかりと桟瓦に固定させるのは難しいことが既に判明している。このような場合には、Ｌ形のアングル材は、熨斗瓦がズレないようしっかりと固定させることが難しくなる。また、熨斗瓦自体も粘土を成型・焼成して製造したものであって、焼物特有のネジレがあり、加えてそれらが施工された際にも棟の延在方向に沿って正確な直線で並べられているわけではなく、したがって長尺アングルの直線的な面をすべての熨斗瓦と接触させて固定することは現実的に不可能であるため、結果としてこの方法では台面熨斗瓦全体を均一な力で補強することは困難である。
【０００７】
上記のような課題に鑑みて、本発明は、施工するのに簡単で時間がかからず、長期間の使用後にも劣化することがなく耐久性を有し、且つ、棟部に対し本来的に土台的な役割をはたす屋根頂部の桟瓦を確実に固定することと、棟の最下段の台面熨斗瓦を確実に固定することで、既存の棟を補強し耐震性を飛躍的に向上させ得る桟瓦取付金具、棟瓦固定具、及び補強部材の設置方法、及び棟の補強方法を提供することを目的とする。
【課題を解決するための手段】
【０００８】
前記課題を解決するために本発明に係る桟瓦取付金具（例えば、実施形態における台面固定金具４１）は、屋根頂部の桟瓦の上に複数段積み上げられて棟を構成する熨斗瓦を桟瓦に対して動かないよう固定するために桟瓦上に設置され、桟瓦の瓦面に固定される基底部と、熨斗瓦の壁面に沿って延びるように基底部に対して所定の角度で屈曲して傾斜する傾斜部と、傾斜部が延びる方向とは異なる方向に基底部から延びる１対の脚部であって、桟瓦の瓦面に対して基底部を支持する１対の脚部と、を有して構成され、桟瓦に固定する固定手段（例えば、実施形態におけるビス５４）を通すための第１の開口部（例えば、実施形態における開口部４６）が基底部に形成され、熨斗瓦を緊結固定する線材（例えば、実施形態における針金２１、針金２６）を通すための第２の開口部（例えば、実施形態における開口部４１ａ）が傾斜部に形成されていることを特徴とする。
【０００９】
また、上記構成の桟瓦取付金具において、基底部の面の形状が略平行四辺形であってもよい。
【００１０】
また、前記課題を解決するために本発明に係る棟瓦固定具は、屋根頂部の桟瓦の上に複数段積み上げられて棟を構成する棟瓦を桟瓦に対して動かないよう固定するための棟瓦固定具であって、棟を挟んで両側の桟瓦上にそれぞれ設置される１対の上記の桟瓦取付金具と、１対の桟瓦取付金具のそれぞれに両端が取り付けられ、棟瓦の壁面に沿って延びて最上段の棟瓦の上を通される線材（例えば、実施形態における針金２１、針金２６）と、を有して構成される。
【００１１】
また、前記課題を解決するために本発明に係る棟瓦固定具は、屋根頂部の桟瓦の上に複数段積み上げられて棟を構成する熨斗瓦を桟瓦に対して動かないよう固定するための棟瓦固定具であって、棟を挟んで両側の桟瓦上にそれぞれ設置される１対の桟瓦取付金具と、下端がそれぞれの桟瓦取付金具に固定され複数段の熨斗瓦の壁面に沿って延びる１対の熨斗瓦固定金具と、両端が１対の熨斗瓦固定金具の上端にそれぞれ固定され、熨斗瓦を下方に押さえるよう最上段の熨斗瓦の上方にわたって延びる押さえ部材（例えば、実施形態におけるステンレスバンド５１）と、を有して構成されることを特徴とする。
【００１２】
また、上記構成の棟瓦固定具において、桟瓦取付金具が、桟瓦の瓦面に固定される基底部と、熨斗瓦の壁面に沿って延びるように基底部に対して所定の角度で屈曲して傾斜する傾斜部と、傾斜部が延びる方向とは異なる方向に基底部から延びる１対の脚部であって、桟瓦の瓦面に対して基底部を支持する１対の脚部と、を有し、熨斗瓦固定金具が、一端が桟瓦取付金具に固定され他端が別の熨斗瓦固定金具に固定される第１の熨斗瓦固定金具と、両端が別の熨斗瓦固定金具に固定される第２の熨斗瓦固定金具と、一端が第２の熨斗瓦固定金具に固定され他端が押さえ部材に固定される第３の熨斗瓦固定金具と、を有し、第１、第２及び第３の熨斗瓦固定金具が、いずれも、桟瓦取付金具、別の熨斗瓦固定金具、又は押さえ部材に固定するための１対の固定部と、１対の固定部間を連結するよう延びる連結部と、を有して構成されるのが好ましい。
【００１３】
また、上記構成の棟瓦固定具において、桟瓦取付金具の基底部の面の形状が略平行四辺形であってもよい。
【００１４】
また、前記課題を解決するために、桟瓦上に設置され屋根板に対して固定される上記構成の桟瓦取付金具の固定を補強するために、一連の桟瓦と屋根板との間に設置される補強部材（例えば、実施形態におけるビス受け補強板３７）の設置方法は、補強部材を桟瓦の上に屋根頂部の側から軒側に向かって延びるよう仮置きし、所定の桟瓦の軒側の端部の位置に合わせて補強部材に印を付すステップと、所定の桟瓦に隣接する軒側の桟瓦を取り外し、補強部材を、取り外した桟瓦の側から屋根頂部に向かって一連の桟瓦と屋根板との間に挿入するステップと、補強部材の印が所定の桟瓦の軒側の端部に対応する位置に位置する状態で、補強部材の軒側を屋根板に固定手段（例えば、実施形態におけるビス３９）により固定するステップと、補強部材の屋根頂部の側を桟瓦の上から屋根板に固定手段（例えば、実施形態におけるビス３８）により固定するステップと、桟瓦取付金具を桟瓦の上から補強部材に固定手段（例えば、実施形態におけるビス５４）により固定するステップと、を具えることを特徴とする。
【００１５】
また、前記課題を解決するために、屋根頂部の桟瓦の上に複数段積み上げられて棟を構成する熨斗瓦を桟瓦に対して動かないよう固定するための棟の補強方法は、上記の１対の桟瓦取付金具を桟瓦にそれぞれ取り付けるステップと、１対の桟瓦取付金具間を、上記の１対の熨斗瓦固定金具及び押さえ部材（例えば、実施形態におけるステンレスバンド５１）で、又は線材（例えば、実施形態における針金）で連結するステップと、を具える。
【００１６】
また、前記課題を解決するために、屋根頂部の桟瓦の上に複数段積み上げられて棟を構成する熨斗瓦を桟瓦に対して動かないよう固定するための棟の補強方法は、上記の補強部材の設置方法により、補強部材を一連の桟瓦と屋根板との間に設置するステップと、上記の１対の桟瓦取付金具を桟瓦にそれぞれ取り付けるステップと、１対の桟瓦取付金具間を、上記の１対の熨斗瓦固定金具及び押さえ部材で、又は線材（例えば、実施形態における針金）で連結するステップと、を具える。
【００１７】
さらに、前記課題を解決するために本発明に係る棟瓦固定具は、屋根頂部の桟瓦の上に複数段積み上げられる下段側の熨斗瓦と、下段側の熨斗瓦の上に複数段積み上げられる棟込瓦（例えば、実施形態における青海波瓦６１ａ〜６１ｄ、松皮菱瓦７１ａ〜７１ｄ）と、棟込瓦の上に複数段積み上げられる上段側の熨斗瓦と、最上段の熨斗瓦の上に１段積まれる丸瓦とにより構成される棟瓦を、桟瓦に対して動かないよう固定するための棟瓦固定具であって、棟を挟んで両側の桟瓦上にそれぞれ設置される１対の上記構成の桟瓦取付金具と、一端が一方の桟瓦取付金具に固定され、棟瓦の壁面に沿って延在し、上段側の熨斗瓦の上方を介して他端が他方の桟瓦取付金具に固定されることで、棟瓦を緊結固定する線材（例えば、実施形態における針金８１ａ〜８１ｃ、針金８２ａ〜８２ｆ）と、を有して構成されることを特徴とする。
【００１８】
さらに、前記課題を解決するために本発明に係る棟瓦固定具は、屋根頂部の桟瓦の上に複数段積み上げられる下段側の熨斗瓦と、下段側の熨斗瓦の上に複数段積み上げられる棟込瓦（例えば、実施形態における青海波瓦６１ａ〜６１ｄ、松皮菱瓦７１ａ〜７１ｄ）と、棟込瓦の上に複数段積み上げられる上段側の熨斗瓦と、最上段の熨斗瓦の上に１段積まれる丸瓦とにより構成される棟瓦を、桟瓦に対して動かないよう固定するための棟瓦固定具であって、棟を挟んで両側の桟瓦上にそれぞれ設置される１対の上記構成の桟瓦取付金具と、棟を挟んで両側の下段側の熨斗瓦の壁面に沿って棟の延在方向に延びるよう配設される１対の索線（例えば、実施形態におけるステンレスワイヤ８４）と、一端が一方の索線に取り付けられ、棟瓦の壁面に沿って延在し、上段側の熨斗瓦の上方を介して他端が他方の索線に取り付けられることで、棟瓦を緊結固定する線材（例えば、実施形態における針金８３ａ〜８３ｅ）と、を有して構成されることを特徴とする。
【発明の効果】
【００１９】
本発明の桟瓦取付金具によれば、従来は弾性接着剤を用いていたところを、桟瓦取付金具を桟瓦にビス打ちするなどして、桟瓦、および台面熨斗瓦を強固に固定できる。これにより、現場で所定の形に成形し、かつ乾燥させる時間を要するラバー材を用いる場合と比較して大幅に短い時間で桟瓦に取り付けることができる。また、ラバー材と比較して強度も十分に有り、経年劣化することもなく耐候性にも優れている。かつ、桟瓦取付金具を桟瓦にビス打ちする過程で、桟瓦自体も屋根板に強固に固定され、棟部の安定した土台としての充分な機能を獲得し得る。また、本発明の桟瓦取付金具は、それぞれの桟瓦毎に桟瓦に取り付けられるため、長尺のＬ形のアングル材を用いた場合のような桟瓦の高さのバラツキに影響されることもなく、どの桟瓦にもしっかりと取り付けることが可能であり、かつ必ずしも棟の延在方向に直線的に配置されているとは言えない台面熨斗瓦（最下段の熨斗瓦）に対してもその端部に確実に接するように取り付けるられる柔軟性を有する。また、本発明の桟瓦取付金具は、その基底部から延びる１対の脚部を有することで、桟瓦の桟芯上に設置した場合、設置するのに不安定な波面が形成された桟芯にも拘わらず、１対の脚部が波面の形状に合わせて桟瓦取付金具自身をしっかりと支持するため、設置後も桟瓦取付金具が傾いたり回転したりすることがなく安定させることが可能である。なお、本発明の桟瓦取付金具は、これを構成する基底部の面を略平行四辺形に変えて製作することで、屋根面に対し斜め下方向かってに設置される隅棟の棟下の桟瓦にも設置可能である。このように、桟瓦取付金具は、どのような棟下の桟瓦にも自在に設置できる。
【００２０】
なお、本発明の棟瓦固定具は、熨斗瓦の間にいわゆる青海波瓦や松皮菱瓦といった棟込瓦が積載されているような棟瓦を固定することも可能である。具体的には、上記のような桟瓦取付金具を棟を挟んでその両側に設け、線材及び索線を用いることにより、熨斗瓦及び棟込瓦を緊結固定するようにする。特に、棟瓦固定具として棟の両側に張られる索線を用いる場合には、線材の端部を桟瓦取付金具だけではなく索線にも掛けることができるため、桟瓦取付金具から線材が斜めに延びることがなく、整然、かつ均一に力がかかるよう線材を延ばすことが可能となる。
【００２１】
また、本発明の補強部材の設置方法によれば、桟瓦と屋根板との間に補強部材が設置されることで、本発明の桟瓦取付金具を桟瓦の上から補強部材に固定手段で固定することが可能となる。これにより、桟瓦取付金具を固定するビスといった固定手段が、屋根板と屋根板との継ぎ目の隙間に当たることで固定手段が効かない場合、または、屋根板の板厚が薄く、もしくは腐食しており、固定手段が十分な強度を発現できない場合でも、桟瓦と屋根板との間に有る補強部材に固定手段が打ち付けられることで、桟瓦取付金具を補強部材を介して確実に屋根板に固定することが可能となる。また、桟瓦取付金具が屋根板に充分な強度を持って直接打ち付けられる場合でも、桟瓦取付金具を屋根板だけではなく補強部材にも固定することで、桟瓦取付金具の固定をより強固にすることができる。
【００２２】
そして、本発明の棟の補強方法によれば、桟瓦取付金具の固定が補強部材により補強された上で、桟瓦取付金具、熨斗瓦固定金具、及び押さえ部材、又は線材を使用することで、棟を構成する熨斗瓦が桟瓦に対して動かないよう固定され、既存の棟が補強されることにより、耐震性を向上させ得る。
【図面の簡単な説明】
【００２３】
【図１】図１は、本発明に係る棟瓦固定具の構成を示す概略断面図である。
【図２】図２は、ビス受け補強板３７の構成を示す概略断面図である。
【図３】図３は、軒側から視た桟瓦及びその下方の屋根板等の概略図である。
【図４】図４は、本発明に係る棟瓦固定具を示す斜視図である。
【図５】図５（ａ）は、本発明に係る桟瓦取付金具の斜視図で、図５（ｂ）は、その側面図である。
【図６】図６は、本発明に係る棟瓦固定具の別の実施形態を示す概略断面図である。
【図７】図７は、本発明に係る棟瓦固定具の別の実施形態を示す概略断面図である。
【図８】図８は、本発明に係る棟瓦固定具の別の実施形態を示す斜視図である。
【図９】図９（ａ）は、熨斗瓦固定金具の斜視図で、図９（ｂ）は、その側面図である。
【図１０】図１０は、本発明に係る棟瓦固定具を構成する押さえ部材の平面図である。
【図１１】図１１は、隅棟用の桟瓦取付金具を示す図である。
【図１２】図１２は、本発明に係る補強部材（ビス受け補強板３７）の施工方法を示す図である。
【図１３】図１３は、棟瓦として青海波組棟を使用する場合の棟瓦固定具による緊結例を示す図である。
【図１４】図１４は、棟瓦として松皮菱組棟を使用する場合の棟瓦固定具による緊結例を示す図である。
【図１５】図１５は、棟瓦固定具を構成するステンレスワイヤを用いた緊結例を示す図である。
【図１６】図１６は、棟瓦固定具を構成するステンレスワイヤを用いた緊結例を示す概略断面図である。
【発明を実施するための形態】
【００２４】
本発明を実施するための最良の実施形態について図面を参照しながら以下に詳細に説明する。
【００２５】
図１は、本発明の一実施形態に係る、熨斗瓦４段・丸瓦１枚積みの棟瓦の断面状態を示す図である。屋根の上には桟瓦３０（３０ａ，３０ｂ，３０ｃ，．．．）が葺かれており、屋根頂部に棟瓦１が構成される。棟瓦１は、概略するとモルタル等の湿式材料で形成される台面部１１と、その上に複数段積載される熨斗瓦１２（１２ａ，１２ｂ，１２ｃ，１２ｄ）と、最上段に被せられる丸瓦１３とで構成され、最上段の熨斗瓦１２ａを上から抑える耐震プレート１６と、これを固定するとともに丸瓦１３が固定される芯材１７とを具えている。各熨斗瓦１２ａ、１２ｂ、１２ｃ、１２ｄの内側端部近傍には銅線２３がそれぞれ掛けられており、銅線２３同士を緊結することによって、棟の両側の同じ段の熨斗瓦１２が連結される。
【００２６】
耐震プレート１６は、金属プレートの両端部を斜め下側に屈曲させてなり、この構成からバネ作用を具え、最上段の熨斗瓦１２ａを下側に付勢する。芯材１７は好ましくは硬化させた発泡樹脂製の角材であり、軽量且つ加工が容易で、耐久性がある。ただし、これらの芯材は木材など他の材質のものを用いてもよい。芯材の太さや長さは適用する棟の大きさ、長さ等の実施環境を勘案して適宜決定される。実際の施工においてこれらの芯材は、２本以上の角材を継いで構成してもよい。コンクリートビス２４が芯材１７とともに耐震プレート１６の開口穴を通して湿式材料に打ち込まれており、芯材１７及び耐震プレート１６が湿式材料に対して固定される。また、丸瓦１３にビス２５が打ち込まれることで、丸瓦１３が芯材１７に固定される。
【００２７】
図２は、棟瓦１及び棟瓦１の下方から屋根の傾斜方向に沿って葺設される複数の桟瓦３０（３０ａ，３０ｂ，３０ｃ，３０ｄ，３０ｅ，．．．）を示す概略図で、図３は、軒側から視た桟瓦及びその下方の屋根板等の概略図である。図２では、明瞭のために棟瓦固定具４０は図示していない。垂木３１が、棟木３２の上側から軒方向に斜め下方に架設されている。この垂木３１は、棟の延在する方向に等間隔に設けられる複数の角材である。垂木３１の上に屋根板３３が設置されている。この屋根板３３は、幅９０〜１２０ｍｍ程度の小幅板である多数の板材を複数の垂木３１の間に渡すようにして設置されて成り、隣接する屋根板３３間にはそれぞれ継ぎ目３４が形成される。また、棟の延在方向に延びる複数の桟木３５が、屋根板３３の上面に所定の間隔を置いて互いに平行な位置関係となるよう取り付けられている。これらの桟木３５は、幅３０ｍｍ厚さ１５ｍｍ程度の細長い角材で構成されており、屋根板３３及び垂木３１に釘着される。桟木３５間には、棟下側から軒側に向かって列を成すよう一連の複数の桟瓦３０（３０ａ，３０ｂ，３０ｃ，３０ｄ，３０ｅ，．．．）が葺設される。桟瓦３０は隣接する桟瓦３０同士の一部が重なるよう葺設され、葺設された桟瓦により波形の一番高い箇所、すなわち桟芯３６を形成する。また、桟瓦３０と桟木３５との間には、施工法を後述するビス受け補強板３７が設置されている。このビス受け補強板３７は、幅４５ｍｍ厚さ１２ｍｍ程度の耐水合板の細長い部材であり、屋根頂部（棟下側）の桟瓦３０ａの上端側から、下方に向かって４番目の桟瓦３０ｄの下端側まで、軒方向に延びている。ビス受け補強板３７は、その上端側、すなわち棟下側が、桟瓦３０の桟芯３６において桟瓦３０の上から桟瓦３０を貫通するようビス３８を打つことによって、桟木３５及び屋根板３３に固定される。また、ビス受け補強板３７の他端側、すなわち軒側は、桟瓦３０の下方においてビス３９により桟木３５及び屋根板３３に釘着される。
【００２８】
ここで、棟瓦が棟の延在方向に対して横方向に及び垂直方向にズレないよう固定するための棟瓦固定具について説明する。図１及び図４に示すように、棟瓦固定具４０は、棟を挟んで両側の屋根頂部の桟瓦３０ａの上に設置され最下段の熨斗瓦１２ｄを固定する１対の台面固定金具４１、４１と、１対の台面固定金具４１、４１のそれぞれに取り付けられ、熨斗瓦１２の壁面に沿って延びて、最上段の熨斗瓦１２ａの上で緊結される１対の針金２１、２１とから構成される。なお、棟瓦固定具４０は１箇所だけではなく、棟の延在方向にほぼ等間隔に複数設置されている。
【００２９】
図５に示すように、台面固定金具４１は、厚さ２ｍｍ程度のステンレス鋼（例えばＳＵＳ４３０）製のシート材を数箇所で所定の方向に屈曲させることにより形成される複数の面から成る。この台面固定金具４１は、幅及び奥行が３０〜４０ｍｍ程度の矩形の面で構成される基底部４３と、基底部４３に対して１１０°〜１２０°の角度で屈曲し基底部４３と同じ幅で基底部４３から３０ｍｍ程度延在することで形成される面で構成される傾斜部４４と有しており、基底部４３の左右両側部からは、基底部４３に対して鈍角に屈曲する屈曲片を成す１対の脚部４５が形成されている。台面固定金具４１の正面視では、この１対の脚部４５は基底部４３に対して１３５°程度の角度でハの字に下方に延びるような構成となっている。基底部４３には、ビス５４を用いて桟瓦３０ａに固定するための円形の開口部４６が形成されている。また、傾斜部４４であって基底部４３に近い位置には、針金２１を通すための開口部４１ａが形成されている。なお、台面固定金具４１の寸法、材質は、必ずしも上記のものに限定されるわけではなく、材質として亜鉛メッキ鋼板又は銅メッキ鋼板を使用してもよい。
【００３０】
図１及び図４に示すように、芯材１７には別の針金２２が巻かれる。そして、１対の針金２１、２１の一方を針金２２と絡ませた上で、１対の針金２１、２１同士を緊結する。この状態では、台面固定金具４１と、針金２１、２１とで構成される棟瓦固定具４０により、熨斗瓦１２が桟瓦３０の傾斜方向に（棟の延在方向に対して横方向に）及び垂直方向にズレないよう固定される。なお、簡易的な方法として、台面固定金具４１にそれぞれ取り付けられる針金を、最上段の熨斗瓦１２ａの上面ではなく、図６に示すように、丸瓦１３の上に渡すようにしてもよい。この場合、上述の実施形態とは異なり、耐震プレート１６、芯材１７、ビス２４、２５を用いない。そして、棟の両側の台面固定金具４１から針金２６、２６をそれぞれ延ばし、丸瓦の頂部で２つの針金２６、２６を緊結することにより、熨斗瓦１２がしっかりと固定される。
【００３１】
次に、棟瓦固定具４０の別の実施形態について説明する。図７及び図８に示すように、棟瓦固定具４０は、棟を挟んで両側の屋根頂部の桟瓦３０ａの上に設置され最下段の熨斗瓦１２ｄを固定する１対の台面固定金具４１と、棟の両側に設置され最下段の熨斗瓦１２ｄから最上段までの熨斗瓦１２ａを固定する一連の熨斗瓦固定金具４２と、ステンレスバンド５１とを有して構成される。なお、図８には、棟の両側にそれぞれ設置された台面固定金具４１及び熨斗瓦固定金具４２のうち、一方側の台面固定金具４１及び熨斗瓦固定金具４２のみを示している。
【００３２】
熨斗瓦固定金具４２は、厚さ２ｍｍ程度のステンレス鋼（例えばＳＵＳ４３０）製のシート材を２箇所所定の方向に屈曲させることで、図９に示すように、側面視で略Ｓ字状に形成されている。この熨斗瓦固定金具４２は、台面固定金具４１、別の熨斗瓦固定金具４２、又はステンレスバンド５１にネジで固定するための直径６ｍｍ程度の開口部４９が形成された２つの固定部４７と、２つの固定部４７間を連結するように延びる連結部４８であって、それぞれの固定部４７に対して１１０°〜１２０°程度の角度で屈曲する連結部４８と、を有して構成される。固定部４７は、幅２６ｍｍ程度、長さ１０ｍｍ程度の矩形の面で構成され、連結部４８は、幅２６ｍｍ程度、長さ２５〜３０ｍｍ程度の矩形の面で構成されるが、固定部４７及び連結部４８の寸法は、必ずしもこれらに限定されるわけではない。また、熨斗瓦固定金具４２の材質は、必ずしも上記のものに限定されるわけではなく、亜鉛メッキ鋼板又は銅メッキ鋼板を使用してもよい。
【００３３】
ステンレスバンド５１は、図７に示すように、丸瓦１３と最上段の熨斗瓦１２ａとによって挟持されるよう構成される。このステンレスバンド５１は、例えばＳＵＳ４３０といったステンレス鋼を材質とし、図８及び図１０に示すように、厚さ１ｍｍ程度、幅３０ｍｍ程度、長さ２４０ｍｍ程度（必ずしもこれらの寸法に限定されない）の細長のシート材から成る。厚さ１ｍｍ程度が好ましい理由は、現地（施工現場）にて折り曲げ加工が容易であることによる。ステンレスバンド５１の両端付近には、幅１０ｍｍ程度、長さ２５ｍｍ程度の長穴５２がそれぞれ形成され、長手方向の中央付近には直径１０ｍｍ程度の開口部５３が形成されている。なお、ステンレス鋼を材質とするステンレスバンド５１の代わりに、亜鉛メッキ鋼板又は銅メッキ鋼板を材質とするシート材を使用してもよい。
【００３４】
本実施形態においても、棟瓦固定具４０は１箇所だけではなく、棟の延在方向にほぼ等間隔に複数設置されている。ステンレスバンド５１は、薄手のシート材であり手で折り曲げることが可能であるため、施工現場で所望の形状に加工することが可能である。図８に示すように、台面固定金具４１は、屋根頂部の桟瓦３０ａの桟芯３６上に、最下段の熨斗瓦固定金具４２とともにビス５４により固定される。これにより、台面固定金具４１の１対の脚部４５が台面固定金具４１自身を支持した状態で、台面固定金具４１の基底部４３と最下段の熨斗瓦固定金具４２の固定部４７とが重なり、最下段の熨斗瓦固定金具４２の連結部４８が台面固定金具４１の傾斜部４４を覆うような状態で、これらの面４４、４８が最下段の熨斗瓦１２ｄの壁面に沿って立ち上がる。また、熨斗瓦固定金具４２ｄの上側の固定部４７は別の熨斗瓦固定金具４２ｃの下側の固定部４７と重なった状態で、ボルト５５ａにより最下段の熨斗瓦１２ｄの上面に締結される。熨斗瓦固定金具４２ｃの連結部４８が熨斗瓦１２ｃの側面に沿って立ち上がる。熨斗瓦固定金具４２ｃの上側の固定部４７が別の熨斗瓦固定金具４２ｂの下側の固定部４７と重なった状態で、ボルト５５ｂにより熨斗瓦１２ｃの上面に締結される。熨斗瓦固定金具４２ｂの連結部４８が熨斗瓦１２ｂの側面に沿って立ち上がる。熨斗瓦固定金具４２ｂの上側の固定部４７が別の熨斗瓦固定金具４２ａの下側の固定部４７と重なった状態で、ボルト５５ｃにより熨斗瓦１２ｂの上面に締結される。熨斗瓦固定金具４２ａの連結部４８が最上段の熨斗瓦１２ａの側面に沿って立ち上がる。このようにして、一方の熨斗瓦固定金具４２の固定部４７と他方の熨斗瓦固定金具４２の固定部４７とが重なった状態で、熨斗瓦１２ｂ、１２ｃ、１２ｄの壁面に沿って熨斗瓦固定金具４２が組み立てられ、一連の熨斗瓦固定金具４２（４２ａ〜４２ｄ）が熨斗瓦１２の側面に沿って階段状を成す。また、熨斗瓦固定金具４２ａの上側の固定部４７が、固定部４７の上に重ねられたステンレスバンド５１の長穴５２に挿入されるボルト５５ｄにより、ステンレスバンド５１とともに最上段の熨斗瓦１２ａに締結される。このようにして、台面固定金具４１、熨斗瓦固定金具４２及びステンレスバンド５１を組み合わせて形成される棟瓦固定具４０により、熨斗瓦１２が桟瓦３０の傾斜方向に（棟の延在方向に対して横方向に）及び垂直方向にズレないよう固定される。棟瓦固定具４０の台面固定金具４１は、設置するのに不安定な波面が形成された桟芯上に位置しているにも拘わらず、台面固定金具４１の１対の脚部４５が波面の形状に合わせて台面固定金具４１自身をしっかりと支持するため、台面固定金具４１が傾いたり回転したりすることがなく安定させることが可能である。
【００３５】
上述した台面固定金具４１は、屋根頂部に設置される本棟用の熨斗瓦を固定するための台面固定金具４１であり、基底部４３、傾斜部４４及び脚部４５の面は、いずれも矩形状に形成された面から成るものであるが、これらの形状は矩形状に限定されるものではない。例えば、屋根の部位として、屋根面を斜め下方に延びる棟、すなわち隅棟と呼ばれる部位があり、この隅棟用の補強金具の形状は、台面固定金具４１の各面が、矩形以外の例えば菱形、又は平行四辺形等で形成される。このような台面固定金具４１の例として図１１に図示されており、図１１に示すような台面固定金具４１は、基底部４３が平行四辺形、傾斜部４４が矩形、一方の脚部４５が台形、他方の脚部４５が平行四辺形で形成されている。ここで、基底部４３と脚部４５との境界線を平行四辺形の底辺としたとき、平行四辺形の高さは３０〜４０ｍｍ程度であり、これは本棟用の台面固定金具４１の基底部４３の幅と変わらない。しかしながら、隅棟用の傾斜部４４の幅は、基底部４３が平行四辺形となっていることにより本棟用の傾斜部４４よりも寸法が大きくなり、４２〜５７ｍｍ程度となる。このようにして、桟瓦３０の傾斜方向に対して斜めの方向に延びる隅棟用の熨斗瓦を固定するのに適した隅棟用の台面固定金具４１を構成することが可能となる。
【００３６】
なお、上記では、棟瓦固定具のいくつかの実施形態を説明したが、棟瓦固定具はこのような構成に限定されるものではない。例えば、別の実施形態として、熨斗瓦固定金具４２を最上段の熨斗瓦１２ａまで設けるのではなく、最下段の熨斗瓦１２ｄから一部の熨斗瓦１２に沿って設け、残りの熨斗瓦１２を針金又はステンレスバンド５１で緊結するようにしても、棟瓦固定具として機能させることが可能である。
【００３７】
次に、既存の屋根に対し上述したビス受け補強板３７を施工するための方法についての一例を説明する。まず、ビス受け補強板３７を、屋根頂部の側から軒側に向けて延びるように桟瓦３０の上に仮置きする。屋根頂部の桟瓦３０ａには、ビスを打ち込むための穴をドリル加工により予め開けておく。屋根頂部の桟瓦３０ａから数えて３番目の桟瓦３０ｃの下端部に対応するビス受け補強板３７の位置に印Ｍを付ける。屋根頂部の桟瓦３０ａから軒方向に数えて４番目の桟瓦３０ｄを外す（図１２（ａ））。桟瓦３０ｃを手で持ち上げ、桟瓦３０と屋根板３３との間にビス受け補強板３７を挿入し、棟の方向に向けて押し込む。ビス受け補強板３７は、印が桟瓦３０ｃの下端部に対応する所定の位置に達するまで押し込まれる（図１２（ｂ））。この状態では、図２に示すように、ビス受け補強板３７の上端部が屋根頂部の桟木３５の上に載り、ビス受け補強板３７の下端部が屋根頂部の桟木３５から軒方向に数えて数えて５番目の桟木３５の上に載る。そして、ビス受け補強板３７の下端部にビス３９を打ち込むことによって、ビス受け補強板３７が桟木３５及び屋根板３３に固定される。また、屋根頂部の桟瓦３０ａの上からこの桟瓦３０ａを貫通するようビス３８を打つことによって、桟瓦３０ａ及びビス受け補強板３７が、桟木３５及び屋根板３３に固定される。そして、台面固定金具４１及び熨斗瓦固定金具４２ｄを桟瓦３０ａの上から桟瓦３０ａを貫通するようビス５４を打つことによって、台面固定金具４１及び熨斗瓦固定金具４２ｄがビス受け補強板３７及び屋根板３３に固定される。最後に、取り外した桟瓦３０ｄを再び屋根板３３の上に取り付け、ビス受け補強板３７の設置が完了する。このように、ビス受け補強板３７を設置することで、台面固定金具４１を固定するビス５４が屋根板３３と屋根板３３との間の継ぎ目（隙間）３４に打ち込まれた場合でも、ビス受け補強板３７がビス５４を受けるため、台面固定金具４１をビス受け補強板３７に、ひいては、屋根板３３に固定することが可能となる。
【００３８】
以上の実施例では、台面固定金具４１、熨斗瓦固定金具４２及びステンレスバンド５１から成る棟瓦固定具４０によって、熨斗瓦１２が水平および垂直方向にズレないよう構成されるものであるが、以下では、棟瓦がいわゆる透かし化粧組棟で構成される場合の棟瓦の固定方法について説明する。
【００３９】
図１３に示す実施例は青海波組棟であり、湾曲した青海波熨斗瓦を横に並べることにより青海波模様波の意匠が表現されている。図１３に示す青海波組棟では、桟瓦３０の上に下段側の熨斗瓦１２が２段積載され、その上に複数の青海波瓦６１ａがその凹部を上向きにして、それぞれ棟に直交する向きで１ｃｍ程度の間隔を空けて横に並んでいる。青海波瓦６１ａの上には、隣接する下の青海波瓦６１ａを跨ぐように、複数の青海波瓦６１ｂが凹部を下向きにして配置されている。また、青海波瓦６１ｂの上には、青海波瓦６１ｂとは上下反対向きに複数の青海波瓦６１ｃが並設されている。さらに、青海波瓦６１ｃの上には、青海波瓦６１ｃを跨ぐように複数の青海波瓦６１ｄが下向きに配置されている。青海波瓦６１ｄの上には上段側の熨斗瓦１２が２段積層され、その上に丸瓦１３が固定されている。
【００４０】
本実施例では、熨斗瓦１２及び青海波瓦６１ａ〜６１ｄを固定するための棟瓦固定具８０は、棟を挟んで両側の桟瓦３０上に、棟の延在方向に沿って所定の間隔を置いて設置される台面固定金具４１及びステンレス鋼製の針金８１ａ〜８１ｄで構成される。
【００４１】
台面固定金具４１は、桟瓦３０の桟芯３６を貫通するビス５４により、屋根板３３に固定される。台面固定金具４１により、２段積層された下段側の熨斗瓦１２がズレないよう固定される。台面固定金具４１の傾斜部４４の開口部４１ａに通される針金８１ａが、複数本、斜め上方に延びている。これらの針金８１ａは、青海波瓦６１ａの上面を渡されあるいは青海波瓦６１ｂの下方において針金８１ｂに通されて棟の反対側に延び、棟の反対側に設けられた熨斗瓦固定金具４１に他端が固定される。これらの針金８１ａにより、青海波瓦６１ａ及び青海波瓦６１ｂが棟の横方向にズレないよう固定される。また、針金８１ｂは、青海波瓦６１ｂの下方を通り、かつ青海波瓦６１ｃの上方を通して両端部を縛り上げることで青海波瓦６１ｂと青海波瓦６１ｃとがズレないよう一体化する（縛り付ける）。さらに、別の針金８１ｃが、青海波瓦６１ｃの上方で針金８１ｂに通され、棟の両側においてそれぞれ上段側の熨斗瓦１２の壁面を上方に延び、その両端が最上段の熨斗瓦の上で縛り上げられる。さらに、針金８１ｄは、青海波瓦６１ｄの下方を通され、棟の両側においてそれぞれ上段側の熨斗瓦１２の壁面を上方に延び、最上段の熨斗瓦の上で縛り上げられる。これにより、青海波瓦６１ｂ、６１ｃ、６１ｄ及び上段側の熨斗瓦１２が水平及び垂直方向にズレないよう固定される。
【００４２】
図１４は、松皮菱組棟を用いた透かし化粧組棟で構成される場合の実施例を示す。図１４に示すように、松皮菱組棟は、桟瓦３０を葺いた屋根頂部に下段側の熨斗瓦１２を２段積み、その上に松皮菱瓦７１ａ〜７１ｃから成る松皮菱瓦をそれぞれ棟に直交する向きに横に並べて３段積み上げ、その上に上段側の熨斗瓦１２を２段積載して上に丸瓦１３を被せて構成される。隣接する２つの松皮菱瓦７１ａの脚部間、隣接する２つの松皮菱瓦７１ｂの脚部間には、モルタル等の湿式材料７２が設けられている。また、最上段の松皮菱瓦７１ｃと上段側の熨斗瓦１２との間にも、モルタル等の湿式材料７２が設けられている。
【００４３】
本実施例では、熨斗瓦１２及び松皮菱瓦７１ａ〜７１ｃを固定するための棟瓦固定具８０は、棟を挟んで両側の桟瓦３０上に、棟の延材方向に沿って所定の間隔を置いて設置される台面固定金具４１及びステンレス鋼製の針金８２ａ〜８２ｆで構成される。ビス５４によって屋根板３３に固定される台面固定金具４１の開口部４１ａに通される複数の針金８２ａ，８２ｂが、複数本、上方に延びている。これらの針金うちの１本の針金８２ａは、下段側の熨斗瓦１２の壁面を湿式材料７２の上に向けて斜め上方に延び、さらに湿式材料７２の上側を棟の反対側に向けて延びている。そして、棟の反対側に設けられた台面固定金具４１に針金８２ａの他端が固定されている。湿式材料７２をこのように押さえることにより、湿式材料７２を挟んで両側にある松皮菱瓦７１ａの下端を固定できる。また、別の針金８２ｂが、台面固定金具４１の開口部４１ａから下段側の熨斗瓦１２の壁面を延びて、さらに下段側の熨斗瓦１２の上面を棟の反対側に向けて延びている。そして、棟の反対側の台面固定金具４１に針金８２ｂの他端が固定されている。さらに、別の針金８２ｃは、松皮菱瓦７１ａの下方から棟の両側において松皮菱瓦７１ａの壁面を上方に延びており、湿式材料７２の上方を通して両端部が縛り上げられている。また、別の針金８２ｄが、松皮菱瓦７１ｃの下方を通され、棟の両側においてそれぞれ上段側の熨斗瓦１２の壁面を上方に延び、最上段の熨斗瓦の上で縛り上げられる。そして、台面固定金具４１の開口部４１ａから斜め上方に延びる針金８２ｅが、松皮菱瓦７１ａの下方において針金８２ｃに通されて棟の反対側に延び、棟の反対側に設けられた台面固定金具４１の開口部４１ａに他端が固定される。針金８２ｆは、その一端が針金８２ｄに掛けられ、他端が８２ｃに掛けられるようにして針金８２ｄと８２ｃとの間を延びている。このようにして、台面固定金具４１及び複数の針金８２ａ〜８２ｆにより、下段側の熨斗瓦１２、松皮菱瓦７１ａ〜ｃ、及び上段側の熨斗瓦１２が、ズレないように固定される。
【００４４】
この他、図１５及び図１６に示すような、上記とは異なる構成の棟瓦固定具８０を用いて、松皮菱瓦及び熨斗瓦がズレないよう固定することもできる。この棟瓦固定具８０は、棟を挟んで両側の台面固定金具４１、いくつかの針金８３ａ〜８３ｅの他、棟を挟んで両側のステンレスワイヤ８４を有して構成される。桟瓦３０の桟芯３６上にそれぞれ設けられた台面固定金具４１間にステンレスワイヤ８４が張られている。このステンレスワイヤ８４は、台面固定金具４１の傾斜部４４に形成された開口部４１ａを通されるようにして、下段側の熨斗瓦１２の壁面に沿って棟が延びる方向に延びている。
【００４５】
一端がステンレスワイヤ８４に掛けられる針金８３ａが、下段側の熨斗瓦１２の壁面を上方に延びて、松皮菱瓦７１ａの脚部間に設けられる湿式材料７２の上側を棟の反対側に向けて延び、棟の反対側を延びるステンレスワイヤ８４に他端が掛けられている。湿式材料７２をこのように押さえることにより、湿式材料７２を挟んで両側にある松皮菱瓦７１ａの下端を固定できる。ステンレスワイヤ８４同士をターンバックル８５で連結することにより、ステンレスワイヤ８４の張力を強化できる。また、一端が台面固定金具４１の開口部４１ａに掛けられる針金８３ｂが、下段側の熨斗瓦１２の壁面を延びて、さらに下段側の熨斗瓦１２の上面を棟の反対側に向けて延び、棟の反対側の台面固定金具４１に他端が掛けられている。さらに、一端がステンレスワイヤ８４に掛けられる針金８３ｃが、下段側の熨斗瓦１２の壁面及び松皮菱瓦７１ａの壁面を上方に延び、松皮菱瓦７１ｂの脚部間に設けられる湿式材料７２の上側を棟の反対側に向けて延び、棟の反対側を延びるステンレスワイヤ８４に他端が掛けられている。また、別の針金８３ｄが、松皮菱瓦７１ｃの下方を通され、棟の両側においてそれぞれ上段側の熨斗瓦１２の壁面を上方に延び、最上段の熨斗瓦の上で縛り上げられる。さらに、別の針金８３ｅが、その一端が針金８３ｃに掛けられ、他端が８３ｄに掛けられるようにして針金８３ｃと８３ｄとの間を延びている。なお、図１５及び１６に示す実施例では、棟込瓦として松皮菱瓦を例に説明したが、青海波瓦を用いた場合においても、ステンレスワイヤ８４、台面固定金具４１といったものを用いて固定することが可能である。
【００４６】
なお、図１３乃至図１６を用いて説明した青海波組棟及び松皮菱瓦組棟における棟瓦の固定方法はあくまでも一例であり、必ずしも上記のような方法に限定されるものではない。したがって、例えば青海波組棟の場合、棟瓦を緊結固定するための針金を、針金８１ａ〜８１ｄ（図１３）に加えてさらに増やしてもよく、あるいは減らしてもよい。同様に、松皮菱瓦組棟の場合、針金８２ａ〜８２ｆ（図１４）、針金８３ａ〜８３ｅ（図１５）にさらに別の針金を新たに加えたり、あるいは適宜減らしてもよい。
【００４７】
以上、本発明の桟瓦取付金具、棟瓦固定具、及び補強部材の設置方法、及び棟の補強方法の実施形態をいくつか説明したが、本発明は上記実施例に限定されるものではなく、他の様々な変更を施すことができる。例えば、台面固定金具、ビス受け補強板を、屋根板に固定するのに釘を用いてもよい。また、熨斗瓦、青海波瓦、松皮菱瓦の段数は何ら制限するものではなく、熨斗瓦の中間層に２段あるいは４段以上の装飾熨斗瓦の層を設けるようにしてもよい。
【産業上の利用可能性】
【００４８】
本発明に係る桟瓦取付金具、棟瓦固定具、及び補強部材の設置方法、及び棟の補強方法は、陶器製の瓦屋根を扱う建設業、製瓦業、屋根施工業で好適に利用することができる。
【符号の説明】
【００４９】
１    棟瓦
１１  台面部
１２  熨斗瓦
１３  丸瓦
２１  針金（線材）
２６  針金（線材）
３０  桟瓦
３１  垂木
３３  屋根板
３５  桟木
３６  桟芯
３７  ビス受け補強板（補強部材）
３８  ビス（固定手段）
３９  ビス（固定手段）
４０  棟瓦固定具
４１  台面固定金具（桟瓦取付金具）
４１ａ  開口部（第２の開口部）
４２  熨斗瓦固定金具
４３  基底部
４４  傾斜部
４５  脚部
４６  開口部（第１の開口部）
４７  固定部
４８  連結部
４９  開口部
５１  ステンレスバンド（押さえ部材）
５２  長穴
５３  開口部
５４  ビス（固定手段）
６１ａ〜６１ｄ  青海波瓦（棟込瓦）
７１ａ〜７１ｄ  松皮菱瓦（棟込瓦）
７２  湿式材料
８０  棟瓦固定具
８１ａ〜８１ｄ  針金（線材）
８２ａ〜８２ｆ  針金（線材）
８３ａ〜８３ｅ  針金（線材）
８４  ステンレスワイヤ（索線）
８５  ターンバックル
【図１】
2014047468.tif 000003
【図２】
2014047468.tif 000004
【図３】
2014047468.tif 000005
【図４】
2014047468.tif 000006
【図５】
2014047468.tif 000007
【図６】
2014047468.tif 000008
【図７】
2014047468.tif 000009
【図８】
2014047468.tif 000010
【図９】
2014047468.tif 000011
【図１０】
2014047468.tif 000012
【図１１】
2014047468.tif 000013
【図１２】
2014047468.tif 000014
【図１３】
2014047468.tif 000015
【図１４】
2014047468.tif 000016
【図１５】
2014047468.tif 000017
【図１６】
2014047468.tif 000018